(57)【要約】      （修正有）【課題】温風発生装置に通水管を内蔵して温水を生成する構造であるため、設置場所にとらわれず、温水による土壌加温の導入が容易となる。通水管は温風発生装置の燃焼室に設けた構造であるため、高温の温水を即時に得ることができ、過剰に灌水することなく土壌加温が可能となる。【解決手段】温室ハウスを温風により暖房するバーナー２１、燃焼室２２、熱交換部２３、排気部２４より構成した温風発生装置２において、該燃焼室に通水管３を設ける。【選択図】図１
2006204195.tif 000002
【特許請求の範囲】
【請求項１】
温室ハウスを温風により暖房するバーナー、燃焼室、熱交換部、排気部より構成した温風発生装置において、該燃焼室に通水管を設けたことを特徴とする温風・温水発生装置。
【請求項２】
通水管は、バーナーから熱交換部に至る経路を囲む筒状に配した請求項１記載の温風・温水発生装置。
【請求項３】
通水管は、装置外に導出した供給管、吐出管をバルブを介したバイパス管で連結した請求項１又は２記載の温風・温水発生装置。
【請求項４】
通水管の一部に設けた分岐管をバルブを介したバイパス管に連結した請求項３記載の温風・温水発生装置。
【発明の詳細な説明】
【技術分野】
【０００１】
本発明は、ハウス栽培におけるハウス暖房装置の改良に関するものである。
【背景技術】
【０００２】
従来より温室栽培用のハウスは、その内部に暖房装置を設置して温められている。ハウス暖房装置としては、バーナーより生成された燃焼ガスを、燃焼室を通じて熱交換パイプに送り、装置内に取り込んだ空気を該熱交換パイプに接触させて高温にし、これをハウス内に吹き出して暖房する構造である。
【０００３】
また、ハウス栽培においては、単にハウス内部の気温を高めるだけでなく、特許文献１に示すように土壌温度を高める方法がある。土壌温度を高めることで、根の育成が促進され、萌芽後の生育が良好となる。土壌温度を高める手段としては、温水散布、土壌に埋設した温水管への通水、ヒータの埋設などがある。土壌加温によれば、地表面近傍の温度が高められるなど温風暖房と異なる効果が生じる。特に、温水散布による土壌加温ではハウス内の湿度も高められ萌芽の促進効果が図られるなど、ハウス内暖房を施すことなく根及び芽の生育を促進させることも可能となる。
【特許文献１】特開２００１−２６９０６７
【発明の開示】
【発明が解決しようとする課題】
【０００４】
温風暖房は、融雪効果も高く手軽に導入できる点で広く普及しているものの、過乾燥の問題や根の育成が図れない問題がある。また、温水散布による土壌加温においては、高温多湿による病虫害の発生が懸念される。従って、これらを適宜併用するのが好ましいが、温風暖房機と共に温水を生成するボイラの設置や燃料費など経済的な問題が足かせとなっていた。
【０００５】
特に、温水散布の場合には、水温が低いと大量に散布しなければ土壌加温の効果が得られず、肥料分の流出や根腐れなどが生じ逆効果となる。このため、３０℃前後から４０℃近くまで高くした温水を散布して、早期に地温を上昇させる必要があるが、水温が極めて低くなる厳寒期においては多大な燃料消費を伴う問題が生じる。
【課題を解決するための手段】
【０００６】
そこで本発明者は上記問題に鑑み鋭意研究の結果、本発明を成し得たものであり、その特徴とするところは、温室ハウスを温風により暖房するバーナー、燃焼室、熱交換部、排気部より構成した温風発生装置において、該燃焼室に通水管を設けたことにある。
【０００７】
ここで、本明細書中でいう「温風発生装置」とは、バーナーから燃焼室を通じて、多数のパイプより成る熱交換部に熱風を通過させて排気する構造であり、該熱交換部に空気を接触させることによって温風を発生させる。本発明においては、この温風発生装置の燃焼室に通水管を設け、これに水を供給して温水を生成する。
【０００８】
「通水管」とは、温風発生装置の燃焼室に設けることにより、水を通過させて加熱する管路をいう。燃焼室は、温風を生成する熱交換部で熱が取られる前の段階の雰囲気であり、極めて高温の温水を生成することができる。また、通水管は、できるだけ長くして燃焼室内での水の滞留時間を長くすることでより水温を高めることができる。しかし、熱交換部に対する熱風の供給に影響しない位置に設け、生成する温風の温度を低下させないようにする必要がある。また、通水管に供給する水温の変動に対応する温水の温度調整、さらには設置するハウスの規模に応じた水量に対する温度調整なども考慮しなければならない。
【０００９】
このような点から、通水管としてはバーナーの燃焼炎吹き出し部から熱交換部に至る経路を遮らないように、燃焼室の内壁に沿う中空の筒状に配するのが好ましい。例えば、環状若しくは簀巻き状である。環状としては、螺旋状や複数のリング状管路を連結する構造である。温度調整や水量に対応する手段としては、例えば通水管の供給管と吐出管をバイパス管で連結したり、通水管に分岐管を設けてバイパス管に連結する場合である。また、温風暖房だけで温水散布を実施しない時期もあるため、装置外に導出した供給管、吐出管、分岐管にワンタッチ接続具などを設けて容易に着脱できる構造にするのが好ましい。
【発明の効果】
【００１０】
本発明に係る温風・温水発生装置は、従来より広く利用されている温風発生装置に通水管を内蔵して温水を生成する構造であるため、設置場所にとらわれず、温水による土壌加温の導入が容易となる。通水管は温風発生装置の燃焼室に設けた構造であるため、極めて高温の温水を即時に得ることができ、過剰に灌水することなく土壌加温が可能となる。
【００１１】
通水管はバーナーの燃焼炎吹き出し部から熱交換部に至る経路を遮らないように筒状に配することで、温風の温度を低下させず、しかも燃料消費をほとんど増加させることなく温水を生成することができる。また、通水管の供給管と吐出管をバイパス管で連結したり、通水管に分岐管を設けることにより、温水の流量や温度調整を容易にできるなど極めて有益な効果を有するものである。
【発明を実施するための最良の形態】
【００１２】
本発明は、温室ハウスを温風により暖房するバーナー、燃焼室、熱交換部、排気部より構成した温風発生装置において、該燃焼室に通水管を設けたことにより、上述課題を解決した。
【実施例１】
【００１３】
図１は本発明に係る温風・温水発生装置１の一実施例を示すもので、バーナー２１、燃焼室２２、熱交換部２３、排気部２４より構成した温風発生装置２の燃焼室２２に通水管３を設けた構造である。吸入ファン２５で吸引された空気は、熱交換部２３に通過接触することによって温風となり、下部のダクト２６から排出して暖房する。この熱交換部２３に熱風を送り込むバーナー２１の燃焼室２２に設けた通水管３に、地下水や水道水を通水させることによって、土壌加温に供する温水が得られる。
【実施例２】
【００１４】
この温風・温水発生装置１は、例えば図２のようにハウス４内部に設置することにより、温風による暖房と温水による土壌加温を行うことができる。本例では、通水管３の供給管３１にポンプＰを接続して地下水を送り込み、通水管３の吐出管３２に接続したスプリンクラー５で温水を散水して土壌加温する例を示している。一般的に、土壌は１５℃〜３０℃程度に加温することにより、根の発育が促進される。このため、スプリンクラー５など末端での温水の温度が３０℃〜４０℃位に設定する。散水時期や散水量によって異なるが、散水温度は通常３４℃程度を目安にすればよい。
【実施例３】
【００１５】
通水管３は、バーナー２１の燃焼炎吹き出し部を中心にした筒状に設けることにより、熱交換部２３への熱風供給を阻害しないようにする。例えば、図３（ａ）のように複数の円管３３を連結管３４で連結した構造にする。この他、同図（ｂ）の螺旋状や同図（ｃ）の簀巻き状としてもよい。
【実施例４】
【００１６】
吐出する温水の温度調整は、供給管３１と吐出管３２をバルブ３５を介してバイパス管３６で連結し、バルブ３５の開度調整で行うことができる。また、図４のように途中に設けた円管３３に分岐管３７を設け、供給管３１、分岐管３７、吐出管３２をバルブ３５を介してバイパス管３６で連結することにより、簡単な操作で微調整することができる。本例の場合、２つのバルブ３５が全開のとき最も温度が低く、全閉にすれば最も温度が高くなる。一方を開、他方を閉でほぼ中間の温度に設定することができる。
【００１７】
円管３３と連結管３４の組み合わせによる通水管３の場合、本例のように鎖線で示す円管３３と連結管３４の増設が容易であり、ハウス４の規模に応じて必要とする温水の流量に対応させることができる。また、供給管３１と吐出管３２の接続部としてワンタッチ接続具３８を設けている。特に、温水散布を停止したときなど、高温の水蒸気によってスプリンクラー５に接続したホースを傷めることがあり、容易に着脱できるようにするのが好ましい。基本的に、温水散布を必要としない時期や温水散布を実施しないときは、通水管３の異常加熱による圧力上昇を防止するため、閉回路とならないようにする必要がある。
【実施例５】
【００１８】
通水管３としては、円筒形の筒状の他、図５のようにラッパ型にしてもよい。これは、バーナー２１と熱交換部２３の径に応じ、できるだけ温風の生成に影響を与えないようにするためである。
【図面の簡単な説明】
【００１９】
【図１】本発明に係る温風・温水発生装置の一実施例を示す概略断面図である。（実施例１）
【図２】図１に示した温風・温水発生装置をハウス内で使用する状態を示す側面図である。（実施例２）
【図３】通水管の他の例を示すもので、（ａ）は斜視図、（ｂ）は側面図、（ｃ）は斜視図である。（実施例３）
【図４】通水管のさらに他の例を示す概略断面図である。（実施例４）
【図５】通水管のさらに他の例を示す概略断面図である。（実施例５）
【符号の説明】
【００２０】
１  温風・温水発生装置
２  温風発生装置
２１  バーナー
２２  燃焼室
２３  熱交換部
２４  排気部
２５  吸入ファン
２６  ダクト
３  通水管
３１  供給管
３２  吐出管
３３  円管
３４  連結管
３５  バルブ
３６  バイパス管
３７  分岐管
３８  ワンタッチ接続具
４  ハウス
５  スプリンクラー
【図１】
2006204195.tif 000003
【図２】
2006204195.tif 000004
【図３】
2006204195.tif 000005
【図４】
2006204195.tif 000006
【図５】
2006204195.tif 000007